(57)【特許請求の範囲】
【請求項１】
ウェアラブル端末の表示板に、対象物の口コミ情報を表示するウェアラブル端末表示システムであって、
前記ウェアラブル端末の視界に入った対象物の画像を取得する画像取得手段と、
前記画像を解析して、前記対象物を特定する特定手段と、
前記特定された対象物の口コミ情報を外部の口コミのデータベースから取得する口コミ情報取得手段と、
前記ウェアラブル端末の表示板に、当該表示板を透過して見える前記対象物に対して、前記取得された口コミ情報を拡張現実として表示する口コミ情報表示手段と、
前記画像を解析して、前記対象物が購入されたかどうかを判定する判定手段と、
前記対象物が購入された場合に、前記購入された対象物の販売金額を、前記購入された対象物を販売した販売店と、前記購入された対象物の口コミ情報を提供した口コミ情報提供者と、で分配する分配手段と、
を備えるウェアラブル端末表示システム。
【請求項２】
前記販売店と、前記口コミ情報提供者と、の前記購入された対象物に係る寄与度を決定する計算手段を備え、
前記分配手段は、寄与度に応じて分配する請求項１に記載のウェアラブル端末表示システム。
【請求項３】
前記口コミ情報取得手段は、複数の前記口コミ情報を取得し、
前記口コミ情報表示手段は、複数の前記口コミ情報を関連させて表示する請求項１又は２に記載のウェアラブル端末表示システム。
【請求項４】
ウェアラブル端末の表示板に、対象物の口コミ情報を表示するウェアラブル端末表示システムが実行する方法であって、
前記ウェアラブル端末の視界に入った対象物の画像を取得するステップと、
前記画像を解析して、前記対象物を特定するステップと、
前記特定された対象物の口コミ情報を外部の口コミのデータベースから取得するステップと、
前記ウェアラブル端末の表示板に、当該表示板を透過して見える前記対象物に対して、前記取得された口コミ情報を拡張現実として表示するステップと、
前記画像を解析して、前記対象物が購入されたかどうかを判定するステップと、
前記対象物が購入された場合に、前記購入された対象物の販売金額を、前記購入された対象物を販売した販売店と、前記購入された対象物の口コミ情報を提供した口コミ情報提供者と、で分配するステップと、
を含むウェアラブル端末表示方法。
【請求項５】
ウェアラブル端末の表示板に、対象物の口コミ情報を表示するウェアラブル端末表示システムを、
前記ウェアラブル端末の視界に入った対象物の画像を取得する画像取得手段、
前記画像を解析して、前記対象物を特定する特定手段、
前記特定された対象物の口コミ情報を外部の口コミのデータベースから取得する口コミ情報取得手段、
前記ウェアラブル端末の表示板に、当該表示板を透過して見える前記対象物に対して、前記取得された口コミ情報を拡張現実として表示する口コミ情報表示手段、
前記画像を解析して、前記対象物が購入されたかどうかを判定する判定手段、
前記対象物が購入された場合に、前記購入された対象物の販売金額を、前記購入された対象物を販売した販売店と、前記購入された対象物の口コミ情報を提供した口コミ情報提供者と、で分配する分配手段、
として機能させるためのプログラム。
【発明の詳細な説明】
【技術分野】
【０００１】  本発明は、ＩｏＴ(Internet  of  Things)に関連し、技術分野はＩＰＣ分類においてＧ０６Ｑ等に該当し、ウェアラブル端末表示システム、方法、プログラム及びウェアラブル端末に関する。
【背景技術】
【０００２】  従来、光学シースルー方式またはビデオシースルー方式を採用した表示部を備える携帯型の端末装置において、撮像画像に他の情報を重畳した拡張現実画像を表示する技術が知られている。【０００３】  例えば、特許文献１には、スーパーマーケットなどのように様々な商品が陳列されている店舗で貸与され、現実空間を撮像するための撮像手段と、撮像手段によって撮像された撮像画像に含まれる商品に関する商品情報を取得する商品情報取得部と、撮像手段によって撮像された撮像画像に含まれる商品の位置に基づいて、商品情報取得部によって取得された商品情報を現実空間に重畳して表示するための拡張現実画像を生成する画像生成部と、画像生成部によって生成された拡張現実画像を表示可能な表示部と、を備える商品情報提供端末装置が提案されている。
【先行技術文献】
【特許文献】
【０００４】
【特許文献１】特開２０１１−２５８３３２４号公報
【発明の概要】
【発明が解決しようとする課題】
【０００５】  ところで、近年、ユーザは、商品を購入する場合や、飲食店を利用する場合等において、当該商品や飲食店等の対象物に対する口コミ情報を参照して、対象物を購入したり、利用したりすることを決定する。【０００６】  しかしながら、特許文献１の商品情報提供端末装置は、特定の店舗内のように、予め商品の位置が決まっている場合には、当該商品の商品情報を表示できるが、任意の場所で、商品等の対象物が、予め特定できない場合には、対象物の口コミ情報を取得することもできず、口コミ情報を表示できないという問題がある。さらに、特許文献１の商品情報提供端末装置は、口コミ情報を表示できないため、当然に、対象物が購入された場合に、対象物の販売金額を、販売店と口コミ情報の提供者とで分配できない。【０００７】  本発明は、ウェアラブル端末の視界に入った対象物の口コミ情報を表示して、対象物が購入された場合に、販売金額を販売店と口コミ情報提供者とで分配することが可能なウェアラブル端末表示システム、方法、プログラム及びウェアラブル端末を提供することを目的とする。
【課題を解決するための手段】
【０００８】  本発明では、以下のような解決手段を提供する。  本発明は、ウェアラブル端末の表示板に、対象物の口コミ情報を表示するウェアラブル端末表示システムであって、  前記ウェアラブル端末の視界に入った対象物の画像を取得する画像取得手段と、  前記画像を解析して、前記対象物を特定する特定手段と、  前記特定された対象物の口コミ情報を外部の口コミのデータベースから取得する口コミ情報取得手段と、  前記ウェアラブル端末の表示板に、当該表示板を透過して見える前記対象物に対して、前記取得された口コミ情報を拡張現実として表示する口コミ情報表示手段と、  前記画像を解析して、前記対象物が購入されたかどうかを判定する判定手段と、  前記対象物が購入された場合に、前記購入された対象物の販売金額を、前記購入された対象物を販売した販売店と、前記購入された対象物の口コミ情報を提供した口コミ情報提供者と、で分配する分配手段と、を備えるウェアラブル端末表示システムを提供する。【０００９】  また、本発明は、前記販売店と、前記口コミ情報提供者と、の前記購入された対象物に係る寄与度を決定する計算手段を備え、  前記分配手段は、寄与度に応じて分配してもよい。【００１０】  また、本発明は、前記口コミ情報取得手段は、複数の前記口コミ情報を取得し、  前記口コミ情報表示手段は、複数の前記口コミ情報を関連させて表示してもよい。【００１１】  また、本発明は、システムのカテゴリであるが、方法及びプログラムであってもよい。【００１２】  また、本発明は、上記ウェアラブル端末表示システムで使用されるウェアラブル端末を提供する。
【発明の効果】
【００１３】  本発明によれば、ウェアラブル端末の視界に入った対象物の口コミ情報を表示して、対象物が購入された場合に、販売金額を販売店と口コミ情報提供者とで分配することが可能となる。
【図面の簡単な説明】
【００１４】
【図１】図１は、本実施形態に係るウェアラブル端末表示システムの概要を示す概念図である。
【図２】図２は、本実施形態のウェアラブル端末表示システムで使用されるウェアラブル端末の外観を説明する図である。
【図３】図３は、本実施形態のウェアラブル端末表示システムで使用されるウェアラブル端末の機能構成を示すブロック図である。
【図４】図４は、本実施形態のウェアラブル端末における制御部の機能構成を示すブロック図である。
【図５】図５は、寄与度決定ＤＢを模式的に示す図である。
【図６】図６は、本実施形態のウェアラブル端末表示処理の一例を示すフローチャートである。
【図７】図７は、ウェアラブル端末の表示板に表示された拡張現実の一例を示す図である。
【発明を実施するための形態】
【００１５】  以下、本発明を実施するための最良の形態について図を参照しながら説明する。なお、これはあくまでも一例であって、本発明の技術的範囲はこれに限られるものではない。
【００１６】  ＜全体構成＞  図１は、本実施形態に係るウェアラブル端末表示システムの概要を示す概念図である。  ウェアラブル端末表示システム１００は、ウェアラブル端末１の表示板２０に、対象物の口コミ情報を表示するシステムである。
【００１７】  ウェアラブル端末表示システム１００は、ウェアラブル端末１の視界（ウェアラブル端末１に設けられた画像取得手段（例えば、カメラ等）の撮像可能範囲）に入った対象物の画像を取得する。
【００１８】  ここで、本実施形態において「対象物」とは、画像の解析により特定可能となる商品（本、化粧品、電気製品等）や、不動産（店舗名等の看板等により名称が特定可能な不動産であり、各種店舗、会社の社屋、公共施設、アミューズメント施設、競技場等）である。
【００１９】  ウェアラブル端末表示システム１００は、取得した対象物の画像を解析し、対象物を特定する（図１に示す例では、対象物を本「ｎａｔｕｒｅ」と特定）。
【００２０】  次に、ウェアラブル端末表示システム１００は、特定された対象物（図１に示す例では、本「ｎａｔｕｒｅ」）の口コミ情報を、外部のデータベースから取得する。ここで、本実施形態において、「口コミ情報」とは、対象物に対する第三者の評価や、コメントや、対象物に関する写真等であるが、対象物の関係者によるコメントや写真等であってもよい。
【００２１】  そして、ウェアラブル端末表示システム１００は、ウェアラブル端末１の表示板２０に、当該表示板を透過して見える対象物に対して、取得された口コミ情報（（図１に示す例では「評価Ａ」））を、例えば、対象物を示す情報（例えば、対象物の名称等（図１に示す例では「ｎａｔｕｒｅ」））と、当該口コミ情報を提供した口コミ情報提供者の名前（図１に示す例では「ａさん」））ともに、拡張現実として表示する。
【００２２】  次に、ウェアラブル端末表示システム１００は、画像を解析して、対象物が購入されたかどうかを判定する。例えば、ウェアラブル端末表示システム１００は、ある対象物に対して、口コミ情報を拡張現実として表示した後、当該対象物が所定時間以上撮像されていた場合、当該口込み情報を契機として、当該対象物が購入されたと判定する。
【００２３】  そして、ウェアラブル端末表示システム１００は、対象物が購入された場合には、購入された対象物の販売金額を、購入された対象物を販売した販売店と、購入された対象物の口コミ情報を提供した口コミ情報提供者と、で分配する。例えば、ウェアラブル端末表示システム１００は、販売店と、対象物が購入された契機となった口コミ情報（例えば、当該対象物が所定時間以上撮像される状態になる直前に表示していた口コミ情報）を提供した口コミ情報提供者と、で販売金額を分配するための分配率を決定する。
【００２４】  このようなウェアラブル端末表示システム１００によれば、取得した対象物の画像を解析し、対象物を特定し、この対象物の口コミ情報を、外部のデータベースから取得し、ウェアラブル端末１の表示板２０に、拡張現実として表示する。そして、対象物が購入された場合に、購入された対象物の販売金額を、購入された対象物を販売した販売店と、購入された対象物の口コミ情報を提供した口コミ情報提供者と、で分配する。  これにより、特定の店舗内に配置された商品のように、予め位置等が決まっているような対象物に限らず、ウェアラブル端末１の視界に入った様々な対象物の口コミ情報を、拡張現実として表示できる。さらに、この口コミ情報を契機に、対象物が購入された場合、対象物の販売金額を、販売店と、口コミ情報提供者と、で分配できるので、口コミ情報提供者に対して、口コミ情報の提供を促すことが可能となる。  したがって、ウェアラブル端末の視界に入った対象物の口コミ情報を表示して、対象物が購入された場合に、販売金額を販売店と口コミ情報提供者とで分配することが可能となる。
【００２５】  ＜機能構成＞  本実施形態のウェアラブル端末表示システム１００は、少なくともウェアラブル端末１を備える。以下に説明する実施形態では、各種処理をウェアラブル端末１により実行するが、これに限らず、ウェアラブル端末表示システム１００は、各種処理の一部を、ウェアラブル端末１とネットワークを介して接続されたサーバや、ユーザに操作される携帯端末（例えば、スマートフォン等）により実行してもよい。
【００２６】  図２は、本実施形態のウェアラブル端末表示システムで使用されるウェアラブル端末の外観を説明する図である。  図３は、本実施形態のウェアラブル端末表示システムで使用されるウェアラブル端末の機能構成を示すブロック図である。  本実施形態では、ウェアラブル端末１は、眼鏡型であるが、これに限らず、対象物の画像を取得し、口コミ情報を拡張現実として表示できれば、例えば、腕時計型等の任意の形態であってもよい。
【００２７】  ウェアラブル端末１は、ＨＭＤ（Head  Mounted  Display）で構成され、図２に示すように、眼鏡形状のフレーム２を備え、このフレーム２に、図３に示す、制御部１０と、表示板２０と、画像取得手段３０と、通信手段４０と、が設けられている。
【００２８】  制御部１０は、図示しないプロセッサ、メモリ、ストレージを備え、これらはバスにより接続されている。プロセッサは、例えば、ＣＰＵ（Central  Processing  Unit）により構成され、メモリに記憶された各種プログラムを読み出して実行することで、各種処理を行うことで、後述する各手段として機能する。メモリは、ＣＰＵにより実行されるプログラムを記憶するものであり、例えば、ＲＯＭ（Read  Only  Memory）やＲＡＭ（Random  Access  Memory）により構成される。ストレージは、拡張現実を表示するためのデータベースや制御プログラムなどを記憶するものである。
【００２９】  表示板２０は、公知の手段により、現実空間の対象物に仮想空間の口コミ情報を重畳して表示した拡張現実画像を表示可能に構成されている。詳細には、表示板２０は、透過型のディスプレイであり、ユーザの目の前面に配置され、制御部１０の制御により、ディスプレイを透過して、ユーザに視認される現実空間の対象物に、制御部１０により生成された情報を重畳して表示した拡張現実画像を表示する。
【００３０】  画像取得手段３０は、例えば、カメラで構成され、表示板２０の近傍に設けられ、制御部１０の制御により、ウェアラブル端末１の視界（画像取得手段３０で撮像可能な範囲）に入った対象物の画像を取得する。
【００３１】  通信手段４０は、制御部１０の制御により、ネットワークを介して外部のデータベースとデータ通信を行う。
【００３２】  図４は、本実施形態のウェアラブル端末における制御部の機能構成を示すブロック図である。  制御部１０は、特定手段１１と、口コミ情報取得手段１２と、口コミ情報表示手段１３と、判定手段１４と、契機情報送信手段１５と、計算手段１６と、寄与度決定データベース（以下、「寄与度決定ＤＢ」とも言う。）１７と、分配手段１８と、を備える。
【００３３】  特定手段１１は、画像取得手段３０（図２及び図３参照）が取得した画像を解析し、対象物を特定する。具体的には、特定手段１１は、公知の手段により、取得した画像と類似する画像を検索したり、文字の画像から商品名等のテキストデータを抽出したりする。特定手段１１は、外部のサーバにアクセスし、画像を検索したり、抽出したテキストデータに基づき検索したりしてもよいし、記憶手段に記憶されたデータベースを検索してもよい。
【００３４】  口コミ情報取得手段１２は、特定された対象物の口コミ情報を、外部のデータベースから取得する。また、口コミ情報取得手段１２は、複数の口コミ情報を取得してもよい。口コミ情報取得手段１２は、特定手段１１が特定した対象物の種類に応じた外部のデータベースを検索し、この検索により抽出されたデータベースから、対象物の口コミ情報を取得する。また、口コミ情報取得手段１２は、口コミ情報とともに、当該口コミ情報を契機に対象物の購入に至った回数を示す購入契機回数情報を受信してもよい。
【００３５】  また、口コミ情報取得手段１２は、特定された対象物の画像が、所定時間（例えば、５秒等）以上、画像取得手段３０により取得された場合に、当該対象物の口コミ情報を取得してもよい。これにより、ユーザの興味があると推測される対象物にのみ口コミ情報を取得し、表示することが可能となる。
【００３６】  口コミ情報表示手段１３は、ウェアラブル端末１の表示板２０に、当該表示板２０を透過して見える対象物に対して、取得された口コミ情報を拡張現実として表示する。また、口コミ情報表示手段１３は、口コミ情報取得手段１２が複数の口コミ情報を取得した場合、口コミ情報を関連させて表示する。また、口コミ情報表示手段１３は、口コミ情報取得手段１２が購入契機回数情報を受信していた場合には、口コミ情報に対応付けて購入契機回数を表示してもよい。
【００３７】  判定手段１４は、画像を解析して、対象物が購入されたかどうかを判定する。具体的には、判定手段１４は、口コミ情報表示手段１３が、ある対象物に対して、口コミ情報を拡張現実として表示した後、画像取得手段３０により、当該対象物が所定量（時間や、回数等）以上、撮像されていた場合、当該口込み情報を契機として、当該対象物が購入されたと判定する。また、判定手段１４は、画像取得手段３０により、「￥」が付された数字（例えば、「￥２，５００」等）の画像が取得された場合に、対象物が購入されたと判定してもよい。
【００３８】  契機情報送信手段１５は、判定手段１４がある口込み情報を契機として、対象物が購入されたと判定した場合、当該口込み情報が、当該対象物の購入の契機となったことを示す契機情報を、口コミ情報取得手段１２が当該口コミ情報を取得した外部のデータベースに送信する。外部のデータベースは、契機情報を受信した場合、当該契機情報に対応する口込み情報の購入契機回数情報に“１”加算する。このように、ある口コミ情報が契機となって対象物が購入された場合に、契機情報を、口コミ情報を提供するデータベースに送信し、この契機情報を累積した値を示す購入契機回数情報を、口コミ情報とともに表示する。これにより、ユーザは、ある対象物を購入するか否かを判断するときに参考にする口コミ情報に対して、実際に購入に至った回数を知ることができるので、単に参考になったか否かを示す回数が表示される場合に比べ、口コミ情報に対する信頼度をより正確に判断することが可能となる。
【００３９】  計算手段１６は、販売店と、口コミ情報提供者と、の購入された対象物に係る寄与度を決定する。具体的には、計算手段１６は、口コミ情報取得手段１２が取得した購入契機回数情報に“１”加算（今回、購入に至ったことによる加算）した値に基づき、寄与度決定ＤＢ１７を参照して、販売店と、口コミ情報提供者と、の購入された対象物に係る寄与度を決定する。
【００４０】  図５は、寄与度決定ＤＢを模式的に示す図である。  寄与度決定ＤＢ１７は、口コミ情報を契機に対象物の購入に至った回数を示す購入契機回数情報に対し、販売店と、口コミ情報提供者と、の購入された対象物に係る寄与度（図５に示す例では％で示されている。）が対応付けられている。  具体的には、計算手段１６は、例えば、口コミ情報の購入契機回数情報が“１”の場合（今回、初めて購入の契機となった場合）、販売店の寄与度を９９％、口コミ情報提供者の寄与度を１％に決定する。また、計算手段１６は、例えば、口コミ情報の購入契機回数情報が“２１以上”の場合、販売店の寄与度を９５％、口コミ情報提供者の寄与度を５％に決定する。図５に示す例では、購入契機回数情報（購入の契機となった回数）が多いほど、寄与度がより高くなるように設定されている。なお、計算手段１６は、購入契機回数情報が多いほど、寄与度がより高くなる態様に限らず、購入への影響がより多い口コミ情報に対して、寄与度がより高くなる任意の態様で、寄与度を決定することができる。
【００４１】  図４に戻って、分配手段１８は、対象物が購入された場合に、購入された対象物の販売金額を、購入された対象物を販売した販売店と、購入された対象物の口コミ情報を提供した口コミ情報提供者と、で分配する。詳細には、分配手段１８は、計算手段１６が決定した寄与度に応じて分配する。例えば、販売金額が１０００円であり、口コミ情報が、今回、初めて購入の契機となった場合、図５に示す例では、計算手段１６は、販売店の寄与度を９９％、口コミ情報提供者の寄与度を１％に決定し、分配手段１８は、販売金額１０００円を、販売店に９９０円、口コミ情報提供者に１０円に分配する。
【００４２】  制御部１０は、このような分配を示す情報を、例えば、販売店側が管理するサーバや、口コミ情報を提供するデータベースに送信してもよい。そして、販売店側や口コミ情報を提供するデータベースの管理者から、口コミ情報提供者に還元されるのが望ましい。この場合、実際の通貨で還元してもよいし、仮想通貨でもよいし、金銭的価値を有するクーポンでもよい。
【００４３】  本実施形態のウェアラブル端末表示システムでは、ウェアラブル端末１の制御部１０が、特定手段１１と、判定手段１４、契機情報送信手段１５、計算手段１６、寄与度決定ＤＢ１７及び分配手段１８を備えるが、これに限らす、これらの手段の一部又は全てを、ウェアラブル端末１、外部のデータベースとネットワークを介して接続されたウェアラブル端末表示サーバや、ユーザが操作するユーザ端末（例えば、スマートフォン等）が備えてもよい。このように構成する場合、ウェアラブル端末１は、画像取得手段３０が取得した画像を、通信手段４０により、ウェアラブル端末表示サーバや、ユーザ端末に送信し、ウェアラブル端末表示サーバや、ユーザ端末は、上記の各種処理を実行し、特定された対象物の口コミ情報を、ウェアラブル端末１に送信する。
【００４４】  ＜ウェアラブル端末表示処理＞  次に、ウェアラブル端末表示システムによるウェアラブル端末表示処理の一例について、図６を参照して説明する。  図６は、本実施形態のウェアラブル端末表示処理の一例を示すフローチャートである。  本実施形態において、ウェアラブル端末表示処理は、ウェアラブル端末１の制御部１０が実行する。
【００４５】  ステップＳ１において、制御部１０は、画像取得手段３０により、ウェアラブル端末１の視界（画像取得手段３０で撮像可能な範囲）に入った対象物の画像を取得する。
【００４６】  ステップＳ２において、特定手段１１は、ステップＳ１で画像取得手段３０が取得した画像を解析し、対象物を特定する。
【００４７】  ステップＳ３において、口コミ情報取得手段１２は、ステップＳ２で特定手段１１が特定した対象物の口コミ情報を、外部のデータベースから取得する。また、本ステップにおいて、口コミ情報取得手段１２は、複数の口コミ情報を取得してもよい。
【００４８】  ステップＳ４において、口コミ情報表示手段１３は、ウェアラブル端末１の表示板２０に、当該表示板２０を透過して見える対象物に対して、ステップＳ６で口コミ情報取得手段１２が取得した口コミ情報を拡張現実として表示する。
【００４９】  図７は、ウェアラブル端末の表示板に表示された拡張現実の一例を示す図である。  口コミ情報表示手段１３は、ステップＳ３で口コミ情報取得手段１２が複数の口コミ情報を取得した場合、複数口コミ情報を関連させて表示する。  この場合、図７に示すように、口コミ情報表示手段１３は、表示板２０において、透過して見える対象物近傍に、対象物の名称（「ｎａｔｕｒｅ」）を表示し、この対象物の名称に紐付けて口コミ情報（（ａ）に示す例では「ａａａサイト  ａさん  感動した！」、（ｂ）に示す例では「ｂｂｂサイト  ｂｓん  買うべき。」）を表示している。このように、口コミ情報には、データベース名（（ａ）に示す「ａａａサイト」、（ｂ）に示す「ｂｂｂサイト」）と、口コミ情報提供者名（（ａ）に示す「ａさん」、（ｂ）に示す「ｂさん」）と、コメント（（ａ）に示す「感動した！」、（ｂ）に示す「買うべき。」）とが含まれてもよい。また、図７に示す例では、口コミ情報表示手段１３は、口コミ情報に沿って、他の口コミ情報が有ることを示すアイコンとして、矢印（（ａ）に示す例では下向きの矢印、（ｂ）に示す例では上向きの矢印）を表示している。口コミ情報表示手段１３は、口コミ情報取得手段１２により、複数の口コミ情報が取得されていた場合、このようなアイコンを表示し、ユーザによる操作や音声による指示により、他の口コミ情報に表示を遷移させてもよい。図７に示す例では、ユーザは、表示板２０に（ａ）に示す口コミ情報が表示されていた場合、下向きの操作や音声による指示により、（ｂ）に示す口コミ情報に表示を遷移させることが可能であり、（ｂ）に示す口コミ情報が表示されていた場合、上向きの操作や音声による指示により、（ａ）に示す口コミ情報に表示を遷移させることが可能である。なお、口コミ情報表示手段１３による複数の口コミ情報の表示態様は、図７に示す例に限らず、複数の口コミ情報を関連させた表示態様であれば、例えば、複数の口コミ情報を対比する形態（隣接して）で表示してもよい。
【００５０】  図６に戻って、ステップＳ５において、判定手段１４は、画像取得手段３０により取得された画像を解析して、対象物が購入されたかどうかを判定する。判定手段１４は、対象物が購入されたと判定した場合にはステップＳ６に処理を移し、対象物が購入されていないと判定した場合にはステップＳ１に処理を移す。本ステップにおいて、判定手段１４は、例えば、ステップＳ４で口コミ情報表示手段１３が口コミ情報を表示してから、所定時間（例えば、５分等）経過した場合に、対象物が購入されていないと判定する。
【００５１】  ステップＳ６において、契機情報送信手段１５は、ステップＳ３で口コミ情報取得手段１２が取得した口込み情報が、当該対象物の購入の契機となったことを示す契機情報を、口コミ情報取得手段１２が当該口コミ情報を取得した外部のデータベースに送信する。
【００５２】  ステップＳ７において、計算手段１６は、販売店と、口コミ情報提供者と、の購入された対象物に係る寄与度を決定する。
【００５３】  ステップＳ８において、分配手段１８は、対象物が購入された場合に、購入された対象物の販売金額を、購入された対象物を販売した販売店と、購入された対象物の口コミ情報を提供した口コミ情報提供者と、で分配する。
【００５４】  ＜効果＞  以上説明した本実施形態のウェアラブル端末表示システムによれば、取得した対象物の画像を解析し、対象物を特定し、この対象物の口コミ情報を、外部のデータベースから取得し、ウェアラブル端末１の表示板２０に、拡張現実として表示する。そして、対象物が購入された場合に、購入された対象物の販売金額を、購入された対象物を販売した販売店と、購入された対象物の口コミ情報を提供した口コミ情報提供者と、で分配する。  これにより、特定の店舗内に配置された商品のように、予め位置等が決まっているような対象物に限らず、ウェアラブル端末１の視界に入った様々な対象物の口コミ情報を、拡張現実として表示できる。さらに、この口コミ情報を契機に、対象物が購入された場合、対象物の販売金額を、販売店と、口コミ情報提供者と、で分配できるので、口コミ情報提供者に対して、口コミ情報の提供を促すことが可能となる。  したがって、ウェアラブル端末の視界に入った対象物の口コミ情報を表示して、対象物が購入された場合に、販売金額を販売店と口コミ情報提供者とで分配することが可能となる。
【００５５】  また、本実施形態のウェアラブル端末表示システムによれば、販売店と、口コミ情報提供者と、の購入された対象物に係る寄与度を決定し、寄与度に応じて販売金額を分配する。このため、口コミ情報提供者に対し、よりユーザの参考になり、購入に至るような口コミ情報を提供することへの意欲を向上させることが可能となり、口コミ情報の内容が充実し、より有用な口コミ情報を表示することが可能となる。
【００５６】  また、本実施形態のウェアラブル端末表示システムによれば、複数の口コミ情報を関連させて表示するので、ユーザは、複数の口コミ情報を対比させて、対象物の評価を検討できるので、対象物に対して、より有用な判断をすることが可能となる。
【００５７】  以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５８】  １・・・ウェアラブル端末、２・・・フレーム、１０・・・制御部、１１・・・特定手段、１２・・・口コミ情報取得手段、１３・・・口コミ情報表示手段、１４・・・判定手段、１５・・・契機情報送信手段、１６・・・計算手段、１７・・・寄与度決定ＤＢ、１８・・・分配手段、２０・・・表示板、３０・・・画像取得手段、４０・・・通信手段、１００・・・ウェアラブル端末表示システム
【図１】
0006908792.tif 000002
【図２】
0006908792.tif 000003
【図３】
0006908792.tif 000004
【図４】
0006908792.tif 000005
【図５】
0006908792.tif 000006
【図６】
0006908792.tif 000007
【図７】
0006908792.tif 000008